(57)【要約】  本発明は、無線通信装置及びその方法を提案する。この無線通信装置は、複数のアンテナと、複数アンテナ信号処理モジュールと、ＲＦ信号処理モジュールと、ベースバンド処理モジュールとを有する。複数アンテナ信号処理モジュールは、複数のアンテナから受信された複数のＲＦ信号を合成して単一のＲＦ信号とするように構成される。ＲＦ信号処理モジュールは、合成された単一のＲＦ信号を単一のベースバンド信号に変換するように構成される。ベースバンド処理モジュールは、単一のベースバンド信号にベースバンド処理を行うように構成される。この無線通信装置は、複数アンテナ信号処理モジュールを通常の単一アンテナシステムに挿入することによって、複数アンテナシステムを簡単に実現する。現行の単一アンテナシステムのＲＦ信号処理モジュール及びベースバンド処理モジュールの双方は変わらぬままである。したがって、再設計処理が極めて簡単であり、設計の困難さ及び実現コストを大きく低減することになる。
2008512921.tif 000002
【特許請求の範囲】
【請求項１】
無線通信装置であって、
複数のアンテナと、
前記複数のアンテナにより受信される複数のＲＦ信号を処理して前記複数のＲＦ信号を単一のＲＦ信号に合成する複数アンテナ信号処理手段と、
前記単一のＲＦ信号を単一のベースバンド信号に変換するＲＦ信号処理手段と、
前記単一のベースバンド信号に対してベースバンド処理を行うベースバンド処理手段と、
を有する装置。
【請求項２】
請求項１に記載の無線通信装置であって、前記ベースバンド処理手段は、前記複数アンテナ信号処理手段が動作可能となる前に、前記複数のＲＦ信号を合成するよう前記複数アンテナ信号処理手段のために制御情報を供給する、装置。
【請求項３】
請求項２に記載の無線通信装置であって、前記複数アンテナ信号処理手段は、
前記複数のアンテナからの複数のＲＦ信号に加重するための複数の重み調整手段と、
各重み調整手段からの当該加重された複数のＲＦ信号を合成し、その合成された信号を前記ＲＦ信号処理手段に伝送する合成手段と、
前記制御情報に応じて、前記複数のＲＦ信号について各ＲＦ信号の調整のための重みを発生し、その重みを対応する前記重み調整手段に供給する重み発生手段と、
を有する、装置。
【請求項４】
請求項２又は３に記載の無線通信装置であって、前記制御情報は、少なくとも、ダウンリンクパイロット周波数タイムスロットデータ及びトレーニングシーケンスデータを有する、装置。
【請求項５】
請求項３に記載の無線通信装置であって、前記複数アンテナ信号処理手段は、
前記複数のアンテナにより受信された複数のＲＦ信号を、前記重み発生手段が対応する重みを発生するために複数のベースバンド信号に変換する複数のＲＦ手段をさらに有する、装置。
【請求項６】
請求項１に記載の無線通信装置であって、前記複数アンテナ信号処理手段は、
それぞれ受信された重みに応じて前記複数のアンテナからの複数のＲＦ信号に重み付けする複数の重み調整手段と、
各重み調整手段から出力される複数の重み付けされたＲＦ信号を合成して、その合成された信号を前記ＲＦ信号処理手段に伝送する合成手段と、
前記複数のＲＦ信号に含まれるチャネルパラメータに応じて各ＲＦ信号の調整をなすための重みを推定し、その重みを前記対応する重み調整手段に供給する重み発生手段と、
を有する、装置。
【請求項７】
請求項６に記載の無線通信装置であって、前記複数アンテナ信号処理手段は、
前記複数アンテナにより受信された複数のＲＦ信号を、前記重み発生手段が対応の重みを発生するように、複数のベースバンド信号に変換する複数のＲＦ手段をさらに有する、装置。
【請求項８】
複数アンテナを備えた無線通信装置の方法であって、
（ａ）前記複数のアンテナから複数のＲＦ信号を受信するステップと、
（ｂ）前記複数のＲＦ信号を合成して単一のＲＦ信号にするステップと、
（ｃ）前記単一のＲＦ信号を単一のベースバンド信号に変換するステップと、
（ｄ）前記単一のベースバンド信号にベースバンド処理を行うステップと、
を有する、方法。
【請求項９】
請求項８に記載の方法であって、前記ステップ（ｂ）の前に、制御情報を供給するステップをさらに有し、前記ステップ（ｂ）は、前記制御情報に基づいて合成動作を行う、方法。
【請求項１０】
請求項９に記載の方法であって、前記ステップ（ｂ）は、
前記制御情報に応じて前記複数のＲＦ信号の調整をなすための重みを計算するステップと、
その計算された重みに応じて前記複数のＲＦ信号に重み付けし、重み付けされた信号を合成するステップと、
をさらに有する、方法。
【請求項１１】
請求項９又は１０に記載の方法であって、前記制御情報は、少なくとも、ダウンリンクパイロット周波数タイムスロットデータ及びトレーニングシーケンスデータを有する、方法。
【請求項１２】
請求項８に記載の方法であって、前記ステップ（ｂ）は、前記複数のＲＦ信号に含まれるチャネルパラメータに応じて前記複数のＲＦ信号の調整をなすための重みを計算するステップと、
当該計算された重みに応じて前記複数のＲＦ信号をそれぞれ重み付けするステップと、
当該重み付けされた信号を合成するステップと、
を有する、方法。
【請求項１３】
無線通信装置であって、
単一のベースバンド信号を出力するベースバンド処理手段と、
前記単一のベースバンド信号を単一のＲＦ信号に変換するＲＦ信号処理手段と、
前記単一のＲＦ信号を処理してそれを複数のＲＦ信号に分離する複数アンテナ処理手段と、
前記複数のＲＦ信号を送信する複数のアンテナと、
を有する装置。
【請求項１４】
請求項１３に記載の無線通信装置であって、前記ベースバンド処理手段は、前記複数アンテナ信号処理手段が動作可能とされる前に、前記単一のＲＦ信号を分離するように前記複数アンテナ信号処理手段のために制御情報を供給する、装置。
【請求項１５】
請求項１４に記載の無線通信装置であって、前記複数アンテナ信号処理手段は、
前記単一のＲＦ信号を複数のＲＦ信号に分離する分離手段と、
前記制御情報に応じて、前記複数のＲＦ信号の調整のための重みを発生する重み発生手段と、
前記重み発生手段により発生された重みに応じて前記複数のＲＦ信号に重み付け、その重み付けされた複数のＲＦ信号を前記複数のアンテナに伝送する複数の重み調整手段と、
を有する、装置。
【請求項１６】
複数のアンテナを具備する無線通信装置の方法であって、
（ａ）単一のベースバンド信号を発生するステップと、
（ｂ）前記単一のベースバンド信号を単一のＲＦ信号に変換するステップと、
（ｃ）前記単一のＲＦ信号を複数のＲＦ信号に分離するステップと、
（ｄ）前記複数のＲＦ信号を前記複数のアンテナによりそれぞれ送信するステップと、
を有する方法。
【請求項１７】
請求項１６に記載の方法であって、前記ステップ（ｃ）の前に、制御情報を供給するステップをさら有し、前記ステップ（ｃ）は、前記制御情報に応じて分離動作を行う、方法。
【請求項１８】
請求項１７に記載の方法であって、前記ステップ（ｃ）は、
前記単一のＲＦ信号を前記複数のＲＦ信号に分離するステップと、
前記制御情報に応じて、前記複数のＲＦ信号の調整をなすための重みを発生するステップと、
当該発生された重みに応じて前記複数のＲＦ信号にそれぞれ重み付けするステップと、
をさらに有する方法。
【請求項１９】
複数のアンテナにより受信される複数のＲＦ信号の処理装置であって、
それぞれ受信した重みに応じて、複数のアンテナにより受信した前記複数のＲＦ信号に重み付けする複数の重み調整手段と、
各重み調整手段からの重み付けされた複数のＲＦ信号を合成しその合成された信号を前記ＲＦ信号処理手段に伝送する合成手段と、
前記制御情報に応じて前記複数のＲＦ信号に対して各ＲＦ信号の調整のための重みを発生し、その重みを対応する重み調整手段に供給する重み発生手段と、
を有する装置。
【請求項２０】
複数のアンテナにより受信される複数のＲＦ信号の処理装置であって、
それぞれ受信した重みに応じて、前記複数のアンテナにより受信した前記複数のＲＦ信号に重み付けする複数の重み調整手段と、
各重み調整手段から出力される重み付けされた複数のＲＦ信号を合成しその合成された信号を前記ＲＦ信号処理手段に伝送する合成手段と、
前記複数のＲＦ信号に含まれるチャネルパラメータに応じて各ＲＦ信号の調整のための重みを推定し、その重みを対応する重み調整手段に供給する重み発生手段と、
を有する装置。
【発明の詳細な説明】
【技術分野】
【０００１】
本発明は、無線通信装置及びその方法に関し、特に、複数のアンテナを備えた無線通信装置及びその方法に関する。
【背景技術】
【０００２】
携帯電話機ユーザの数が増えるにつれ、現代の移動体通信システムは、トラフィック容量を増やしながら高音質を維持する課題に直面している。この点につき、第３世代移動体通信の技術の中においてマルチアンテナ技術が熱い話題となってきている。
【０００３】
マルチアンテナ技術は、大抵は、空間ダイバーシティ及び適応アンテナ技術を含んでいる。当該受信方向において、少なくとも２つのアンテナが信号を受信するために使われる。同時に、ダイバーシティ及びビーム形成などの処理方法が、従来の単一アンテナ技術よりも良好な性能を得るために多数の並列信号を組み合わせるために採用されている。
【０００４】
研究者は、マルチアンテナ技術の展開が信号の信号対雑音比（ＳＮＲ）を効率的に増大させ、これにより通信の音質を大きく向上させるものと述べている。しかしながら、既存の通信システムの殆どは、それらの移動体端末における単一アンテナシステム向けの処理モジュールを使っている。マルチアンテナ技術が既存の移動体端末に適用されると、当該処理モジュールのハードウェア及びソフトウェア部分の双方を設計し直す必要がある。したがって非常に高価なものとなってしまう。単一アンテナシステムの処理モジュールにおけるハードウェア及びソフトウェアを効率的に利用するために既存の移動体端末に基礎を置くことをどのうように向上させるかは、移動体端末へのマルチアンテナの適用における重要な問題となっている。
【０００５】
次の段落においては、既存の移動体端末における単一アンテナシステムの構成及びマルチアンテナをこの単一アンテナシステムに配備するときに直面する問題を示すための例として、ＴＤ−ＳＣＤＭＡ規格に準拠した移動体端末を挙げる。
【０００６】
図１は、代表的な単一アンテナ携帯電話機のシステム構成ブロック図である。このシステムは、アンテナ１００と、ラジオ周波数（ＲＦ）モジュール２００と、アナログ／ディジタル変換・ディジタル／アナログ変換（ＡＤＣ／ＤＡＣ）モジュール３００と、ベースバンド物理レイヤ処理モジュール４００と、ベースバンド上側レイヤ処理モジュール５００とを含む。ここでは、ベースバンド物理レイヤ処理モジュール４００は、レイク受信機又は結合検出（ＪＤ；joint detection）、拡散／逆拡散モジュール、変調／復調モジュール及びビタビ／ターボ符号化／復号モジュールを含むようにしてもよい。ベースバンド上側レイヤ処理モジュール５００は、システムコントローラ及びソースエンコーダを含むことができ、例えば、ディジタル信号処理器又はマイクロプロセッサを用いることによって実現することができる。
【０００７】
ダウンリンク信号の処理は、次の如くである。先ず、アンテナ１００により受信された無線信号は、ＲＦモジュール２００において、増幅され中間周波信号又はアナログベースバンド信号にダウンコンバートされることになる。そして、ＡＤＣ／ＤＡＣモジュール３００においてサンプリングされ量子化された後は、中間周波信号又はアナログベースバンド信号は、ディジタルベースバンド信号に変換され、ベースバンド物理レイヤ処理モジュール４００に伝送されることになる。ベースバンド物理レイヤ処理モジュール４００では、ベースバンド制御モジュールにより与えられた制御信号に応じて、ディジタルベースバンド信号が、ベースバンド上側レイヤ処理モジュール５００に入る前に、連続的にレイク受信機又は結合検出（ＪＤ）、逆拡散、復調、デ・インターリーブ、ビタビ／ターボ復号などの演算により処理されることになる。ベースバンド上側レイヤ処理モジュール５００において、ベースバンド物理レイヤ処理モジュール４００からの信号は、上側レイヤシグナリング処理、システム制御及びソース符号化／復号などの演算によりデータリンクレイヤ、ネットワークレイヤ又はこれよりも高いレイヤにおいて、さらに処理されることになる。
【０００８】
これまで、上述した単一アンテナ携帯電話技術は非常に成熟し、数多くの製造業者はかなりの成熟度のチップセットソリューションを開発している。これらのソリューションにおいて、ベースバンド物理レイヤ処理モジュール４００の機能は、大抵は、特定用途向け集積回路（ＡＳＩＣ）により構成されるベースバンドモデムによって実現される。
【０００９】
しかしながら、マルチアンテナを現存の携帯電話機システムに導入することによって、単一アンテナシステムの多くのモジュールの設定における切り替えが生じ、標準設計レイク受信機及びベースバンド物理レイヤ処理モジュールの逆拡散機能のようなそのハードウェア及び関連のソフトウェアは、新しいシステムで利用し難くなる。これに鑑み、本発明の出願人は、２００２年１２月２７日に提出した２件の出願においてそれぞれ２つのソリューションを提案している。１つは、「複数アンテナ移動体端末及びその方法」（Multiple-antenna Mobile Terminal and Its Method）と題した中国発明特許出願第０２１６０４０３．７号である。他のものは、「スマートアンテナ移動体端末及びその方法」（Smart-antenna Mobile Terminal and Its Method）と題した中国発明特許出願第０２１６０４０２．９号である。これら出願は、それらの全体の参照によりここに組み込まれる。上記２つのソリューションにより、大きな変更を伴うことなく単一アンテナシステムを複数アンテナシステムにアップグレードすることができる。既存の標準ベースバンド処理モジュールのソフトウェア及びハードウェアは、新しいシステムに利用可能であり、設計コストをかなり削減することになる。
【００１０】
しかしながら、単一アンテナ移動体端末の設計を利用することについては、この２つのソリューションは、ベースバンド部のソフトウェア及びハードウェア設計の利用をなしたに過ぎない。ＲＦ部の利用は、触れられていないままである。すなわち、増幅、ダウンコンバート及びアナログ／ディジタル変換を含む幾つかの動作により複数のアンテナにより与えられるＲＦ信号を処理し、その後に当該複数の信号が合成されベースバンド部に伝送されるようにするために多数の並列パスを必要としている。したがって、現存の単一アンテナシステムのＲＦ部における単一信号処理パスは、複数アンテナシステムになされるべき変更及び再設計を必要とし、ある程度、設計の困難さや実施コストを増大させることになる。
【００１１】
結論として、どのようにして、現存の移動体端末において変更し単一アンテナシステムの処理モジュールのハードウェア及びソフトウェアリソースをより効率的に利用するかは、依然として、マルチアンテナを移動体端末に配備する際に解決すべき問題として残っている。
【発明の開示】
【発明が解決しようとする課題】
【００１２】
本発明の一目的は、複数アンテナ無線通信装置及び方法を提供することである。かかる複数アンテナ無線通信装置は、大幅な変更を伴うことなく、既存の標準的単一アンテナシステムのＲＦ及びベースバンド信号処理部のソフトウェア及びハードウェア設計を利用することができるものである。
【課題を解決するための手段】
【００１３】
上記目的を達成するため、本発明は、複数アンテナと、複数アンテナ信号処理モジュールと、ＲＦ信号処理モジュールと、ベースバンド処理モジュールとを有する無線通信装置を提供する。複数アンテナ信号処理モジュールは、複数アンテナにより受信された複数のＲＦ信号を単一のＲＦ信号に組み合わせるように構成される。ＲＦ信号処理モジュールは、この組み合わされたＲＦ信号を単一のベースバンド信号に変換するように構成される。ベースバンド処理モジュールは、当該単一ベースバンド信号に対してベースバンド処理を行うように構成される。
【００１４】
上記目的を達成するため、本発明は、複数アンテナ無線通信装置において用いられる方法であって、複数のＲＦ信号を受信しそれらを単一のＲＦ信号に合成するステップと、この単一のＲＦ信号を単一のベースバンド信号に変換するステップと、当該単一のベースバンド信号に対してベースバンド処理を行うステップとを有する方法を提供する。
【００１５】
本発明により提案される複数アンテナ無線通信装置及びその方法は、ＲＦ信号が処理される前に複数のＲＦ信号を組み合わせて単一のＲＦ信号にするので、当該合成動作のために１つの複数アンテナモジュールしか既存の標準的単一アンテナシステムに挿入される必要がなく、既存の標準的単一アンテナシステムの構成を、ＲＦ及びベースバンド信号処理により再利用することが可能となる。
【００１６】
その他の目的及び目的達成形態は、本発明の十分な理解とともに、添付図面に関連してなされる次の説明及び請求項を参照することにより明らかとなる。
【発明を実施するための最良の形態】
【００１７】
以下、添付図面を参照して例示により本発明を詳しく説明する。
【００１８】
図２は、本発明の一実施例によるＴＤ−ＳＣＤＭＡシステムにおけるマルチアンテナ移動体端末の受信装置のブロック図である。既存の単一アンテナ移動体端末の受信装置と比較すると、図２の受信装置は、１つの追加の複数アンテナ（ＭＡ）モジュール６００を備えている。このＭＡモジュール６００により生じる遅延は、無視できるほどに小さいものである。
【００１９】
図２に示されるように、この受信装置は、２つのアンテナ１００及び１０１と、ＭＡモジュール６００と、ＲＦモジュール２００及びＡＤＣ／ＤＡＣモジュール３００を含むＲＦ信号処理モジュールと、ベースバンド物理レイヤ処理モジュール４００及びベースバンド上側レイヤ処理モジュール５００を有するベースバンド処理モジュールとを含む。２つのアンテナ１００及び１０１は、ＲＦ信号を受信するように構成されている。ＭＡモジュール６００は、２つのアンテナ１００及び１０１に接続され、受信した２つのＲＦ信号を合成し又は組み合わせて単一チャネルのＲＦ信号にするように構成されている。ＭＡモジュール６００により実行される動作には、２つのアンテナ１００及び１０１により受信されるＲＦ信号の２つのチャネルに含まれるパラメータ情報についての重み計算を行うことと、当該計算結果に応じて当該２チャネルのＲＦ信号に対して振幅及び位相調整を行って２つのチャネルの信号を合成し又は組み合わせ単一チャネルの信号にするとともにその合成され又は組み合わされた信号をＲＦモジュール２００に伝送することとが含まれる。ＭＡモジュール６００の詳しい動作については後述する。
【００２０】
ＲＦモジュール２００は、ＭＡモジュール６００により合成された信号に対して振幅及びダウンコンバートを行い、それらを中間周波信号又はアナログベースバンド信号に変換するように構成される。ＡＤＣ／ＤＡＣモジュール３００は、ＲＦモジュール２００の出力端に接続されており、ダウンリンクデータ処理の過程において、ＲＦモジュール２００からの当該中間周波信号又はアナログベースバンド信号をサンプリングし量子化し、これらをディジタルベースバンド信号に変換するように構成される。ベースバンド物理レイヤ処理モジュール４００は、ＡＤＣ／ＤＡＣモジュール３００から出力されるディジタルベースバンド信号に対してベースバンド信号処理動作を行うように構成されており、これには、レイク受信（Rake receiving）、逆拡散、復調、デ・インターリーブ、結合検出（ＪＤ）、ビタビ／ターボ復号などが含まれる。ベースバンド上側レイヤ処理モジュール５００は、ベースバンド物理レイヤ処理モジュール４００から出力されるデータに対してデータリンクレイヤ、ネットワークレイヤ又はこれより高いレイヤの処理動作を行うように構成される。これには、上側レイヤシグナリング処理、ソース符号化／復号などが含まれる。
【００２１】
以下に、図３についてＴＤ−ＳＣＤＭＡシステムにおけるＭＡモジュール６００の構成とその信号処理について詳しく説明する。
【００２２】
図３に示されるように、ＭＡモジュール６００は、重み調整モジュール６０１及び６０２と、合成モジュール６１０と、２つのＲＦモジュール６２１及び６２２と、２つのＡＤＣモジュール６３１及び６３２と、重み発生モジュール６４０と、２つのＤＡＣモジュール６５１及び６５２とを含む。
【００２３】
重み調整モジュール６０１及び６０２は、それぞれ２つのアンテナ１００及び１０１に接続され、ＲＦ信号の振幅及び位相を調整するようにしている。この実施例では、重み調整モジュール６０１及び６０２は、２つの乗算器により実現可能である。合成モジュール６１０は、乗算器６０１及び６０２における振幅及び位相調整の後の信号を組み合わせその合成された信号をＲＦモジュール２００に伝送するように構成される。この実施例では、合成モジュール６１０は、加算器により実現可能である。ＲＦモジュール６２１及び６２２の入力は、それぞれ２つのアンテナ１００及び１０１に接続され、サイドパスからの受信したＲＦ信号を増幅しダウンコンバートし、それらをアナログベースバンド信号に変換するようにしている。ＡＤＣモジュール６３１及び６３２は、２つのＲＦモジュール６２１及び６２２の２つの出力にそれぞれ接続された入力を有し、ＲＦモジュール６２１及び６２２からのアナログベースバンド信号をサンプリングし量子化するとともに、それらをディジタルベースバンド信号に変換するように構成されている。重み発生モジュール６４０は、ＡＤＣモジュール６３１及び６３２から出力されるディジタルベースバンド信号を処理し、ＲＦ信号の振幅及び位相を調整するよう重み調整モジュール６０１及び６０２の対応の重み係数を計算するよう構成されている。関連の重み係数の計算は、特許出願第０２１６０４０３．７号の説明において提案された方法のような従来技術により行うことができる。ここではこれ以上の詳しい説明はしない。ＤＡＣモジュール６５１及び６５２は、重み発生モジュール６４０により発生された重み係数の２つのセットをアナログ量にそれぞれ変換し、アナログの重み係数の当該２つのセットに応じて２つの乗算器６０１及び６０２によりラジオ周波数信号に対してそれぞれ振幅及び位相調整を行う。
【００２４】
移動体端末がセル探索フェーズにあるとき、本実施例におけるＭＡモジュール６００により実行される信号合成動作は、ＢＥＲＣ（Blind Equal-Ratio-Combining）方法により行うことができる。既存の技術はＢＥＲＣ方法を実現するための多くの態様を提供するので、その動作処理の簡単な紹介だけを次に述べるものとする。
【００２５】
先ず、２つのアンテナ１００及び１０１からの信号のうちの１つが基準信号として選ばれる。例えば、アンテナ１００からの信号が基準信号Ｓｒとして選ばれると、アンテナ１０１からの信号は他の信号Ｓｏとなる。
【００２６】
第２に、乗算器６０１において、基準信号ＳｒがＤＡＣモジュール６５２からの定数例えば１が乗ぜられる。
【００２７】
第３に、重み発生モジュール６４０は、サイドパスを通じて引き込まれる基準信号Ｓｒと他の信号Ｓｏとに対応するディジタルベースバンド信号の振幅差及び位相差を推定することになる。例えば、対応する重み係数は、他の信号Ｓｏの共役信号による基準信号Ｓｒの乗算を正規化することにより得ることができる。
【００２８】
そして、基準信号Ｓｒに応答して他の信号Ｓｏの振幅及び位相の補償は、ＤＡＣモジュール６５１により変換される重み係数のアナログ値を他の信号Ｓｏに乗算することにより乗算器６０２において実現可能である。
【００２９】
最後に、乗算器６０１及び６０２の出力信号は、基準信号Ｓｒ及び他の信号Ｓｏを合成してＲＦ帯域の単一信号にするために、加算器６１０において共に加算される。
【００３０】
上記方法は、基準信号を定数で乗算する。他の技術も利用可能であり、例えば、基準信号Ｓｒ及び他の信号Ｓｏをそれぞれそれらに対応する重み係数で乗算することが挙げられる。これら対応の重み係数は、基準信号Ｓｒ及び他の信号Ｓｏのそれぞれの共役値とすることができるので、ここではこれ以上詳しい説明はしない。
【００３１】
移動体端末が通常接続の状態にあるとき、例えばこの移動体端末が、アンテナダイバーシティ又はスマートアンテナではない普通の伝送アンテナを利用する唯一の基地局からの信号を受信している状態にある場合、ＭＡモジュール６００における信号合成動作は、改善された最小二乗誤差（ＬＭＳ）のような最大比合成（Maximum Ratio Combining）法の技術により行うことができる。上記特許出願第０２１６０４０３．７号は３つのこのような処理方法を提示しているので、ここではこれ以上詳しく説明しない。
【００３２】
ＢＥＲＣ及び最大比合成の方法は、コンピュータソフトウェア及びハードウェアの双方により実現可能である。
【００３３】
上記説明は、ＭＡモジュール６００が本実施例では独立したモジュールであることを述べている。ベースバンド信号処理部からのフィードバック信号は必要としない。受信した複数のＲＦ信号に含まれるパラメータを推定することにより複数のＲＦ信号の合成が実現可能となる。このソリューションは、標準的な単一アンテナ移動体端末に直接追加のアンテナ及び独立して構成されたＭＡモジュール６００を付加して、該端末を複数アンテナ移動体端末にアップグレードすることによりシステム設計を簡単にする。但し、このソリューションは、受信した複数のＲＦ信号を計算することにより振幅及び位相を調整するために用いられる重み係数に全体として依拠するものであり、その重み発生モジュール６４０の構成を複雑にするものである。
【００３４】
ＭＡモジュール６００の設計コストをさらに減らすよう振幅及び位相計算モジュール６４０の設計を簡単化するため、本発明は、図４及び図５に示されるようなもう１つの実施例を提示するものである。図４は、ＴＤ−ＳＣＤＭＡシステムの複数アンテナ移動体端末の受信手段の他の実施例のブロック図である。図５は、図４における受信手段のＭＡモジュール６００´の等価な構成図である。
【００３５】
この実施例は、この実施例においてＭＡモジュール６００´が制御バスを通じてベースバンド処理モジュールから伝送されるＭＡ制御情報に応じて複数のＲＦ信号の合成動作を実現するという点で前の実施例とは区別される。制御バスを通じてＭＡモジュール６００´へ伝送されるＭＡ制御情報は、イネーブル信号、アルゴリズム選択信号、ダウンリンクパイロット周波数情報及びトレーニングシーケンスを含みうる（但し、これらに限定されない）。イネーブル信号の機能は、ＭＡモジュール６００´を動作可能とすることである。アルゴリズム選択信号の機能は、ＭＡモジュール６００´にどの重み付けアルゴリズムを選択すべきかを知らせることである。ＭＡ制御情報は、ＭＡモジュール６００´に制御バス又は他のインターフェースを介して伝送可能である。
【００３６】
本実施例におけるＭＡモジュール６００´は、次の点で前のケースのＭＡモジュール６００とは異なる。第１に、その重み発生モジュール６４０´は、信号（Ｓｒ，Ｓｏ）のチャネルパラメータではなく、基準信号としてベースバンド処理モジュールからＭＡ制御情報に含まれるユーザ特有のトレーニングシーケンスなどの情報を得、ＭＡ制御情報により指定された正規の重み付けアルゴリズムに応じて対応の重みを計算する。ＤＡＣモジュール６５１及び６５２を通じて重みが変換された後、それらは信号重み調整のために２つの乗算器６０２及び６０１に伝送される。ＭＡ制御情報は、ＭＡモジュールが動作を開始したときに制御バスを通じて１度しか供給されないので、ベースバンド物理レイヤ処理モジュール４００からの動的なフィードバック信号は必要ない。
【００３７】
受信した複数のＲＦ信号の重み推定に全体的に依存している前の実施例のＭＡモジュール６００と比較すると、この実施例のＭＡモジュール６００´は、重みを発生するように、トレーニングシーケンスのような既知の情報を利用することにより簡単かつ迅速な方策を使う。
【００３８】
上記の本発明の２つの実施例の双方は、例としてデュアルアンテナ受信装置の形態を採っているが、設計手法は２を超える数のアンテナを備えた受信装置にも適用可能である。また、本発明は、携帯電話機及びその技術の複数アンテナ受信装置の実施例しか紹介していないが、アップリンクとダウンリンクとの対称性により、他のソリューションも伝送装置及びその方法の設計に適用可能である。例えば、２つのアンテナを持つ送信装置では、信号処理手順は受信装置におけるものと逆である。行う必要のあることは、単一のＲＦ信号を２つのＲＦ信号に分離してそれらをそれぞれ重みづけした後に送出するように、ＭＡモジュール６００又は６００´の合成モジュール６１０を分離モジュール（図示せぬ信号スプリッタなど）で置き換えることだけである。
【００３９】
本発明により提案される複数アンテナ無線通信装置及びその方法によれば、マルチアンテナを無線通信装置に導入することを、現行の携帯電話機のハードウェア及びソフトウェア設計に大幅な変更を伴うことなく、ＭＡモジュールを単一アンテナ無線通信装置に簡単に挿入することによって実現することができる。
【００４０】
勿論、当業者であれば、本発明により提案される複数アンテナ無線通信装置及びその方法が携帯電話システムに限定されないことが分かる。無線通信基地局、無線ＬＡＮ端末などの他の無線通信装置にも適用可能なのである。
【００４１】
また、当業者であれば、本発明により提案される複数アンテナ無線通信装置及び方法がＴＤ−ＳＣＤＭＡシステムに限定されず、ＧＳＭ（Global Mobile System）、ＧＰＲＳ（General Packet Radio Service）、ＥＤＧＥ（Enhanced Data Rate for GSM Evolution）、ＷＣＤＭＡ（Wideband Code Division Multiple-Access）、ＣＤＭＡ ＩＳ９５、ＣＤＭＡ２０００規格その他のセルラ通信システムにも適用可能である。
【００４２】
当業者であれば、添付の請求項の範囲内のまま上述の説明を踏まえて、複数アンテナ無線通信装置及び方法において様々な変更や変形が可能であることが分かる。
【図面の簡単な説明】
【００４３】
【図１】ＴＤ−ＳＣＤＭＡシステムにおける代表的単一アンテナ携帯電話機のブロック図。
【図２】本発明の一実施例によるＴＤ−ＳＣＤＭＡシステムを具備する複数アンテナ移動体端末の受信装置のブロック図。
【図３】図２の受信装置のＭＡモジュールの等価な構成図。
【図４】本発明の他の実施例によるＴＤ−ＳＣＤＭＡシステムを具備する複数アンテナ移動体端末の受信装置のブロック図。
【図５】図４の受信装置のＭＡモジュールの等価な構成図。
【図１】
2008512921.tif 000003
【図２】
2008512921.tif 000004
【図３】
2008512921.tif 000005
【図４】
2008512921.tif 000006
【図５】
2008512921.tif 000007
【国際調査報告】
2008512921.tif 000008
2008512921.tif 000009
2008512921.tif 000010
2008512921.tif 000011
2008512921.tif 000012